(57)【要約】【目的】天板上での作業中に作業者の足の感触で妻側端部あるいは桁側端部であることを認識できて、作業上の安全を確保できるようにすること。【解決手段】天板１と両側支持脚とからなる作業台であって、天板１は、上面を作業床面２とする天板本体１ａと、天板本体１ａの妻側端部に外嵌して取り付けられる断面略コ字状の端部取付部材１ｂとからなり、端部取付部材１ｂ及び天板本体１ａの桁側端部に、作業者に足の感触で妻側端部及び桁側端部であることを認識させるために作業床面２との間に段差を形成する妻側凸段部４Ａ及び桁側凸段部４Ｂが設けられ、妻側凸段部４Ａは、天板本体１ａ上面に載置される断面略コ字状端部取付部材１ｂの上部片１１によって形成され、この上部片１１は、桁側凸段部４Ｂの端部と干渉する部分２０が切除されている。【選択図】        図２
2005036417.tif 000002
【特許請求の範囲】
【請求項１】
天板と、天板の妻側端に設けられた支持脚とからなる作業台において、天板は、上面を作業床面とする天板本体と、天板本体の妻側端部に外嵌して取り付けられる断面略コ字状の端部取付部材とからなり、端部取付部材及び天板本体の桁側端部には、作業者に足の感触で妻側端部及び桁側端部であることを認識させるために作業床面との間に夫々段差を形成する妻側凸段部及び桁側凸段部が端部取付部材及び天板本体と夫々一体に設けられ、妻側凸段部は、天板本体上面に支持される断面略コ字状端部取付部材の上部片によって形成され、この上部片は、桁側凸段部の端部と干渉する部分が切除されている作業台。
【請求項２】
妻側凸段部の上面と桁側凸段部の上面とが面一となっている請求項１に記載の作業台。
【発明の詳細な説明】
【０００１】
【発明の属する技術分野】
本発明は、天板と、この天板の妻側端に設けられた支持脚とからなる作業台に関するものである。
【０００２】
【従来の技術及びその課題】
作業者が天板の上に乗って各種作業を行う場合、作業者は、天板から足を踏み外さないよう足元の位置を確認しながら作業をしなくてはいけないと思いつつも実際の作業では天板上面の妻側端部及び桁側端部の確認が難しく、その妻側端部や桁側端部からの足の踏み外し現象が発生し易い状況にある。
【０００３】
本発明は、上記の課題に鑑み、天板上での作業中に作業者の足の感触で妻側端部あるいは桁側端部であることを認識することができて、作業上の安全を確保できると共に、製作が容易でコストを安くできる作業台を提供することを目的とする。
【０００４】
【課題を解決するための手段】
請求項１に係る発明は、天板１と、天板１の妻側端に設けられた支持脚３とからなる作業台において、天板１は、上面を作業床面２とする天板本体１ａと、天板本体１ａの妻側端部に外嵌して取り付けられる断面略コ字状の端部取付部材１ｂとからなり、端部取付部材１ｂ及び天板本体１ａの桁側端部には、作業者に足の感触で妻側端部及び桁側端部であることを認識させるために作業床面２との間に夫々段差Ｓａ，Ｓｂを形成する妻側凸段部４Ａ及び桁側凸段部４Ｂが端部取付部材１ｂ及び天板本体１ａと夫々一体に設けられ、妻側凸段部４Ａは、天板本体１ａ上面に支持される断面略コ字状端部取付部材１ｂの上部片１１によって形成され、この上部片１１は、桁側凸段部４Ｂの端部と干渉する部分２０が切除されていることを特徴とする。
【０００５】
請求項２は、請求項１に記載の作業台において、妻側凸段部４Ａの上面と桁側凸段部４Ｂの上面とが面一となっていることを特徴とする。
【０００６】
【発明の実施の形態】
図１の（ａ）  は本発明に係る作業台の平面図、（ｂ）  は正面図、（ｃ）  は側面図である。図２の（ａ）  は図１の（ａ）  の矢印Ａで示す部分の拡大図、（ｂ）  は（ａ）  のＸ−Ｘ線断面図、図３の（ａ）  は図２の（ａ）  の矢印Ｂで示す部分の拡大斜視図、（ｂ）  は同矢印Ｂで示す部分を別の角度から見た同様な斜視図である。図４の（ａ）  は図２の（ａ）  のＹ−Ｙ線拡大断面図、（ｂ）  は図２の（ａ）  のＺ−Ｚ線拡大断面図であり、図５は天板本体の一部を示す斜視図であり、図６は天板本体１ａの一部拡大断面図である。これらの図に示すように、この作業台は、上面に横長矩形状の作業床面２を有する天板１と、この天板１の妻側端に夫々設けられた支持脚３，３とから構成される。
【０００７】
両支持脚３，３は、夫々の上端部が天板１の左右端である妻側端に回転連結金具５，５により連結されて、（ｂ）  に示すように下広がり状態に傾斜して起立した開脚姿勢と、図示は省略するが天板１の下面に略平行に沿うように折り畳んだ閉脚姿勢との間で開閉可能となっている。各支持脚３は、下広がり状に配置される両側一対の脚柱６，６と、両脚柱６，６間に複数段に取り付けられる踏桟７とからなる。なお、各脚柱６は、（ａ）  〜（ｃ）  に示すように、下端に脚端具６ａを取り付けた伸縮脚６ｂによって伸縮可能に構成されており、また天板１下面の妻側端部寄り位置と各支持脚３の最上段の踏桟７との間には、折り畳み可能な開き止め金具８が介装されている。
【０００８】
天板１は、アルミニウム合金の押し出し型材からなる天板本体１ａと、同じくアルミニウム合金の押し出し型材からなり、天板本体１ａの妻側端部に外嵌して取り付けられる端部取付部材１ｂとによって構成され、天板本体１ａの上面が作業床面２とされる。端部取付部材１ｂは、天板本体１ａの妻側端部に外嵌して取り付けることによって、天板本体１ａの妻側端部の外観、見栄えを良くする化粧枠として機能する。
【０００９】
図３及び図４に示すように、端部取付部材１ｂには、作業床面２上で作業中の作業者に足の感触で妻側端部であることを認識させるために作業床面２との間に段差Ｓａを形成する妻側凸段部４Ａが端部取付部材１ｂと一体に形成され、また天板本体１ａには、同じく作業者に足の感触で桁側端部であることを認識させるために作業床面２との間に段差Ｓｂを形成する桁側凸段部４Ｂが天板本体１ａと一体に形成されている。
【００１０】
天板本体１ａは、図５に示すように２つのアルミ押し出し型材１ａ１  ，１ａ２  を接合してなるもので、これらアルミ押し出し型材１ａ１  ，１ａ２  の上面に形成される作業床面２の両桁側端部に、作業床面２との間に段差Ｓｂを形成する桁側凸段部４Ｂ，４Ｂが一体に形成されている。この段差Ｓｂは例えば３．５ｍｍ程度とされる。この天板本体１ａには、図５に示すように、凸段部４Ｂの外側端に断面Ｌ字状の桁側枠片２１，２１が突設され、幅方向中央部には互いに接合された接合枠片２２１  ，２２２  が突設され、桁側枠片２１と接合枠片２２１  との中間部には断面Ｔ字状の補強枠片２３，２３が突設されている。
【００１１】
端部取付部材１ｂは、図３及び図４から分かるように、天板本体１ａの妻側端部に外嵌されるように上部片１１と下部片１２と両部片をつなぐ連結部１３，１４とからなる断面略コ字状のアルミニウム合金の押し出し型材からなるもので、この取付部材１ｂを天板本体１ａの妻側端部に外嵌してリベット１５で結合することにより、天板本体１ａの妻側端部に取付け固定されるようになっているが、この場合、図４の（ａ）  に示すように天板本体１ａの上面に支持される当該端部取付部材１ｂの上部片１１によって妻側凸段部４Ａが形成され、この上部片１１は、天板本体１ａに形成されている桁側凸段部４Ｂの端部と干渉する部分が平面視Ｌ字状に切除されている。
【００１２】
即ち、端部取付部材１ｂを天板本体１ａの妻側端部に嵌合して取り付けるにあたり、端部取付部材１ｂの上部片１１を天板本体１ａ上面の妻側端部に支持させてこの上部片１１が作業床面２との間に段差Ｓａを形成するように端部取付部材１ｂを天板本体１ａに取り付けるには、端部取付部材１ｂの上部片１１の端部が天板本体１ａの桁側凸段部４Ｂの端部と干渉するから、この干渉する上部片１１の端部を図２及び図３に示すように平面視Ｌ字状に切除して、この切除部２０に天板本体１ａの桁側凸段部４Ｂの端部を突入係合させるようにしたものである。これにより、天板本体１ａの上面である作業床面２の左右両妻側端部及び前後両桁側端部の全周に亘って外観上体裁の良い凸段部４Ａ，４Ｂを形成することができる。
【００１３】
この場合、図４の（ａ）  に示すように、断面略コ字状端部取付部材１ｂの上部片１１は、天板本体１ａの上面に支持されて妻側凸段部４Ａを形成する部分が肉厚に形成されている。この肉厚部分、即ち妻側凸段部４Ａの厚みは、天板本体１ａの桁側凸段部４Ｂの厚みと同じ（例えば３．５ｍｍ）であって、これにより妻側凸段部４Ａの上面と桁側凸段部４Ｂの上面とが面一となっている。このように妻側凸段部４Ａの上面と桁側凸段部４Ｂの上面とを面一にすることによって、外観上の体裁が一層良好となり、天板１の商品価値をより高めることができる。
【００１４】
端部取付部材１ｂは、この実施形態では、アルミ押し出し型材によって形成しているが、合成樹脂材による一体成形によって形成することもできる。
【００１５】
以上説明したように、天板本体１ａの作業床面２の妻側端部に妻側凸段部４Ａを設けると共に、その桁側端部に桁側凸段部４Ｂを設けることによって、天板１上での作業中に、作業者の足裏が桁側凸段部４Ｂに当たれば、その足裏の感触により、足の位置が桁側端部にあることを作業者自身が認識でき、また作業者の足裏が妻側凸段部４Ａに当たれば、その足裏の感触により、足の位置が妻側端部にあることを認識できるから、作業床面２の妻側端部及び桁側端部から足を踏み外すことがなくなり、作業の安全を確保することができる。
【００１６】
この場合において、妻側凸段部４Ａ及び桁側凸段部４Ｂが作業床面２との間に形成する段差Ｓａ，Ｓｂは、せいぜい４〜５ｍｍ程度であるから、作業者の足裏が凸段部４Ａに当たってつまずくようなおそれはなく、作業の安全性の点から何ら心配ないものである。
【００１７】
また、この作業台では、妻側凸段部４Ａは端部取付部材１ｂと一体に形成され、また桁側凸段部４Ｂも天板本体１ａと一体に形成されるから、妻側凸段部４Ａ及び桁側凸段部４Ｂを夫々単独で製作して、天板１の妻側端部及び桁側端部に夫々取り付けるというような面倒な作業がなくなり、作業台の製作コストを安くできる。
【００１８】
【発明の効果】
請求項１に係る発明の作業台によれば、天板本体の作業床面の妻側端部及び桁側端部に夫々凸段部を設けたことによって、天板上での作業中に、作業者の足裏が凸段部に当たれば、その足裏の感触により、足の位置が妻側端部あるいは桁側端部にあることを作業者自身が認識できるから、作業床面の妻側端部及び桁側端部から足を踏み外すことがなくなり、作業の安全が確保される。
【００１９】
また、この作業台では、妻側凸段部が端部取付材と一体に形成され、また桁側凸段部が天板本体と一体に形成されるから、妻側凸段部及び桁側凸段部を夫々単独で製作して、天板の妻側端部及び桁側端部に夫々取り付けるというような面倒な作業がなくなり、作業台の製作コストを安くできる。
【００２０】
更に、この作業台では、妻側凸段部は天板本体上面に支持される断面略コ字状端部取付部材の上部片によって形成され、この上部片は桁側凸段部の端部と干渉する部分が切除されているから、天板本体の上面である作業床面の左右両妻側端部及び前後両桁側端部の全周に亘って外観上体裁の良い凸段部を形成することができる。
【００２１】
請求項２に係る発明の作業台によれば、外観上の体裁が一層良好となり、天板の商品価値をより高めることができる。
【図面の簡単な説明】
【図１】（ａ）  は本発明に係る作業台の平面図、（ｂ）  は正面図、（ｃ）  は側面図である。
【図２】（ａ）  は図１の（ａ）  の矢印Ａで示す部分の拡大図で、（ｂ）  は（ａ）  のＸ−Ｘ線断面図である。
【図３】（ａ）  は図２の（ａ）  の矢印Ｂで示す部分の拡大斜視図、（ｂ）  は同矢印Ｂで示す部分を別の角度から見た同様な斜視図である。
【図４】（ａ）  は図２の（ａ）  のＹ−Ｙ線拡大断面図で、（ｂ）  は図２の（ａ）  のＺ−Ｚ線拡大断面図である。
【図５】天板本体の一部を示す斜視図である。
【図６】天板本体の一部拡大断面図である。
【符号の説明】
１              天板
１ａ            天板本体
１ｂ            端部取付部材
２              作業床面
３              支持脚
４Ａ            妻側凸段部
４Ｂ            桁側凸段部
Ｓａ            妻側凸段部の段差
Ｓｂ            桁側凸段部の段差
１１            端部取付部材の上部片
１２            下部片
１３，１４      連結部
２０            端部取付部材の端部の切除部
【図１】
2005036417.tif 000003
【図２】
2005036417.tif 000004
【図３】
2005036417.tif 000005
【図４】
2005036417.tif 000006
【図５】
2005036417.tif 000007
【図６】
2005036417.tif 000008